(57)【特許請求の範囲】
【請求項１】
抽斗の左右両面の内側に引き出しレールを外側にキャリヤレールをそれぞれ１つずつ持ち、その際回転ダンパーとして形成された液体式ダンパーを備えると共に前記キャリヤレールと引き出しレールの間に中間レールがスライドできるように配置されている抽斗のための引き出し案内装置ユニットにおいて、
前記引き出しレール（６）または前記キャリヤレール、引き出しレール及び中間レールを覆う抽斗フレーム（３）に取り付けられた回転ダンパー（２０）は１つのピニオン（１０）を備えており、
前記ピニオンは、前記引き出しレール（６）、抽斗フレーム（３）およびキャリヤレール（４）に対して相対的に移動できるスライダー（８）のラック面（１６）と噛み合い、その際、前記スライダー（８）のため、抽斗の左右両面の外側にストッパー（１１）を備えることを特徴とする、引き出し案内装置ユニット。
【請求項２】
少なくとも１つの引き出しレール（６）と回転ダンパー（２０）を抽斗フレーム（３）内部に備えることを特徴とする、請求項１に記載の引き出し案内装置ユニット。
【請求項３】
回転ダンパー（２０）が、引き出しレール（６）またはキャリヤレール、引き出しレール及び中間レールを覆う抽斗フレーム（３）に固定されたケース（７）に取り付けられていることを特徴とする、請求項１または２に記載の引き出し案内装置ユニット。
【請求項４】
スライダー（８）にバネの力がかかることを特徴とする、請求項１に記載の引き出し案内装置ユニット。
【請求項５】
スライダー（８）がケース（７）にそこでスライドできるように取り付けられていることを特徴とする、請求項１から４までのいずれか１項に記載の引き出し案内装置ユニット。
【請求項６】
バネがスライダー（８）とケース（７）に取り付けられた引っ張りバネ（１３）であることを特徴とする、請求項４または５に記載の引き出し案内装置ユニット。
【請求項７】
引き出しレールが抽斗フレームに挿入されてこれに固定されていることを特徴とする、請求項１に記載の引き出し案内装置ユニット。
【請求項８】
ストッパー（１１）はキャリヤレール（４）上に配置されていることを特徴とする、請求項１に記載の引き出し案内装置ユニット。
【発明の詳細な説明】
【０００１】
【発明の属する技術分野】
本発明は抽斗のための次のような引き出し案内装置ユニットに関する。すなわち、抽斗の左右両面の内側に引き出しレールを外側にキャリヤレールをそれぞれ１つずつ持ち、その際回転ダンパーとして形成された液体式ダンパーを備え、場合によっては中間レールをキャリヤレールと引き出しレールの間にスライドできるように配置し、好ましくは引き出しレールが抽斗フレームに挿入されてこれに固定されている上記の引き出し案内装置ユニットに関する。
【０００２】
【従来の技術及び発明が解決しようとする課題】
ＧＢ２２４５１５８Ａからは、引き込み具と、回転ダンパーとして形成された液体式ダンパーを持つ抽斗のための引き出し案内装置ユニットが知られている。この液体式ダンパーは１つの台車の中に配置され、この台車は抽斗の後部スライド領域でこの抽斗と連結することができる。
【０００３】
本発明の課題は、冒頭に挙げた種類の引き出し案内装置を改善して、回転ダンパー全体を抽斗内に配置できるようにし、それによりこの回転ダンパーをも抽斗とともに家具の中に挿入できるようにすることである。
【０００４】
【課題を解決するための手段】
本発明の課題は次のようにして解決される。すなわち、回転ダンパーは引き出しレールまたは抽斗フレームに取り付けられて１つのピニオンを備え、このピニオンは抽斗フレームおよびキャリヤレールに対して相対的に移動可能なスライダーのラック面と噛み合い、その際スライダーのため、抽斗の左右両面の外側に、好ましくはキャリヤレールにストッパーを備えることによって解決される。
【０００５】
【発明の実施の形態】
下記に添付の図面を用いて本発明の実施形態を説明する。図１は、家具とさまざまなポジションの抽斗の外略外見図を示し、この場合、家具の一方の側壁を取り外してある。図２は同一の家具の側面図を示す。図３は、家具の断面および重ねて配置された複数の抽斗の抽斗フレームの縦断面を、概略外見図として示す。図４は、抽斗フレームの縦断面を示す。図５は、図４をＡＡの線で切った断面を示す。図６は、ダンパーと引き出しレールを分解した外見図を示す。
【０００６】
家具１の中で、抽斗２は本発明の引き出し案内装置ユニットによりスライドして案内される。
【０００７】
抽斗はその左右に１つずつ抽斗フレーム３を備え、これら抽斗フレームは引き出し案内装置ユニットのレール４、５、６を、キャリヤレール４の固定サポート部４′を除いて覆っている。本発明のダンパー装置１４も同様に抽斗フレーム３にカバーされる。
【０００８】
引き出しレール６の上にケース７が固定されており、その中に市販の回転ダンパー２０、好ましくはフリーホイール付きのものを備える。回転ダンパー２０の軸上にピニオン１０を取り付ける。
【０００９】
ケース７にアンダーカットされたみぞ１５を設け、その中にスライダー８を水平にスライドできるように取り付ける。スライダー８はラック１６を備え、このラックはピニオン１０と噛み合う。引っ張りバネ１２は一方ではスライダー８に、他方ではケース７に固定されている。
【００１０】
スライダー８はさらにスライダーストッパー９を備え、このストッパーは引き出しレール６のスリット１３を通って突き出す。キャリヤレール４またはその固定サポート部４′にスライダー８のための外側ストッパー１１を形成する。
【００１１】
抽斗２をあけると、引っ張りバネ１２がスライダー８をダンパーポジションに引き込む。次に抽斗２を閉じると、スライダーストッパー９が外側ストッパー１１とぶつかり、スライダー８とキャリヤレール４の間はそれ以上相対運動ができなくなる。しかし引き出しレール６はケース７とともにさらに後方に動き、ラック面１６の上を転がるピニオン１０がそのため回転する。これによりケース７の中にある回転ダンパー２０が作動する。
【００１２】
本発明の引き出し案内装置ユニットには、たとえばＥＰ０３９１２２１Ｂ１に記載するように、抽斗引き込み装置をも設けることができる。抽斗２が確実に閉じられるように、この場合の引き込み装置のバネは、引っ張りバネ１２よりもつねに強くなければならない。
【００１３】
抽斗２を開くと、スライダー８は引っ張りバネ１２によってふたたび当初のポジションに、すなわちダンパーポジションにもたらされる。
【００１４】
この実施形態は、引き出しレール６とキャリヤレール４の間の中間レール５を用いるフル装備の引き出し動作を示す。しかし本発明のダンパー装置は、単式の引き出し動作にも用いることができる。
【００１５】
【発明の効果】
本発明の引き出し案内装置ユニットにあっては、回転ダンパー（２０）が引き出しレール（６）またはキャリヤレール、引き出しレール及び中間レールを覆う抽斗フレーム（３）に取り付けられて１つのピニオン（１０）を備え、このピニオンは、引き出しレール（６）、抽斗フレーム（３）およびキャリヤレール（４）に対して相対的に移動できるスライダー（８）のラック面（１６）と噛み合い、その際、スライダー（８）のために抽斗の左右両面の外側に、好ましくはキャリヤレール（４）にストッパー（１１）を備えることから、回転ダンパー全体を抽斗内に配置できるようにし、それによりこの回転ダンパーをも抽斗とともに家具の中に挿入できる。
【図面の簡単な説明】
【図１】図１は、家具とさまざまなポジションの抽斗の外略外見図であって、この場合家具の一方の側壁を取り外してある状態を示す斜視図。
【図２】図２は同一の家具の側面図。
【図３】図３は、家具の断面および重ねて配置された複数の抽斗の抽斗フレームの縦断面を概略外見図として示した斜視図。
【図４】図４は、抽斗フレームの縦断面を示す断面図。
【図５】図５は、図４のＡＡの線で切った断面を示す拡大断面図。
【図６】図６は、ダンパーと引き出しレールを分解した外見図を示す斜視図。
【符号の説明】
３・・・抽斗フレーム
４・・・キャリヤレール
５・・・中間レール
６・・・引き出しレール
８・・・スライダー
１０・・・ピニオン
１１・・・ストッパー
１６・・・ラック面
２０・・・回転ダンパー
【図１】
0004678955.tif 000002
【図２】
0004678955.tif 000003
【図３】
0004678955.tif 000004
【図４】
0004678955.tif 000005
【図５】
0004678955.tif 000006
【図６】
0004678955.tif 000007